(57)【要約】      （修正有）【課題】バッテリーを用い負荷の電圧を形成する際に生ずる電流の未使用を解決する方法において、バッテリーを直列に接続する事で電圧が形成され並列に接続する事で電流が得られる。【解決手段】直列、並列を同数に配列しその電力の取り出しを１列目は最初の１台から取り出し、２２列目の最後は２２番目のバッテリーから取り出す。この方法は全てのバッテリーから電圧と電流を取り出す事が可能になる。直流２６４ｖ交流１８８ｖの電圧を使用して２００ｖの三相交流の電力を発生させ、その電力の取り出しは三相六線式で２００ｖの電力を４８カ所に配電し２００ｖ×０．５Ａのランプを４８灯点灯している。実証試験からその４８個の電力を１／２０に降圧して生ずる交流１０ｖと電流１０Ａのニ回路を直流に変換し１個１２ｖ×１００Ａのバッテリーに並列重ねる。電流は全４８４個のバッテリーに２０Ａずつ配電されている事から使用可能電流として負荷に対応する。【選択図】図４
2013005709.tif 000002
【特許請求の範囲】
【請求項１】
バッテリーを直列、並列に同数連結させ電力の取り出し口を直列部分をその数だけずらし全ての並列の電流を取り出す。
【請求項２】
バッテリーにより駆動した発電機からの出力を降圧して組み上がったバッテリーに並列充電しその電力を負荷に使用させる。
【請求項３】
発電機からの出力を三相２００ｖから４００ｖに設定しその出力を降圧する事によって生ずる電流を直列の数だけのバッテリーに並列に接続しその高いエネルギーの電流を直列の数だけ並列に結線する。
【請求項４】
全ての直列に接続された個々のバッテリーに降圧された電圧直流１４ｖとその電流が待機電流として用意される。
【請求項５】
電気は同じ直流に変換されてもエネルギーの強い電気が負荷に対応する。
東京電力の三相２００ｖの電気が直流の変換された場合、発電機からの電流があらかじめ結線されていた場合でも、その東京電力から直流変換した電力が入ると負荷はその電気を優先的に使用する。
【請求項６】
バッテリーに充電する場合、単相の電力から充電するよりも三相の電力からの充電時間が圧倒的に短い。
【請求項７】
バッテリーの持つ電圧を直列に結線し、その電圧を使用し外部に三相の電力を発生させそれを並列のバッテリーに戻し電気を循環させる発明です。
【発明の詳細な説明】
【技術分野】
【０００１】この発明はバッテリーを介在させた発電システムです。
【背景技術】
【０００２】電力を生産するシステムで大型のものは電力会社の原子力、火力、水力によるものだが小型の発電システムは昔から存在する風力発電や今、流行の太陽光発電が上げられるが、いずれも自らの電力で自立して負荷に耐えられるものでは無い。
【先行技術文献】
私が開発して特許を取得している回転体は自ら発電した電力を直接負荷に接続し使用できる。
【０００３】
【特許文献】
【特許文献】国際出願番号  ＰＣＴ／ＪＰ２００６／３０６２３３  国際公開番号  ＷＯ２００６／１０６６４７
【発明の概要】
この発明はバッテリーの電圧のみを直列で接続し負荷の２００ｖの動力用発電機の起動モーターを駆動させそのモーターに連結する発電機により発電された三相２００ｖの電力を外部に於いて発生させ、その発電された電力を三相６線式の結線により各４８カ所に２００ｖ×０．５Ａの電気を発生させる即ちバッテリーより得られたエネルギーを電圧だけを利用し外部に新たな三相２００ｖの電力を発生させる。
【発明が解決しようとする課題】
【０００４】バッテリーは１２ｖ×１００Ａの２２個を直列と並列にクロスして４８４個を直列と並列を同数に配置する直列に接続した２２個は直流２６４ｖの電圧と２６．４ｋｗの電力になる。
この場合２２個のバッテリーは電流が２１００アンペア残っているのに使えるのは２６４ｖ目の最後の１個のバッテリーの持つ電流１００Ａしか使えない。
実際には、そのボルトが下がると負荷の変動が起きるので二次電池はその下がった
電圧を電流が補える数値しか使えない、ゴク小さな電力である。
従って三相２００ｖの動力用電気を使用する機械は小さい機械ならいざ知らず、７．５ｋｗ以上のモーターを使用する装置は１２ｖ×１００Ａ×２２個のバッテリーでは始動しない。
それを直流から交流へ、そして又三相交流に変換すると直流２６．４ｋｗが１８．８ｋｗになってしまう。
１８．８ｋｗは電圧１８８ｖなのでかろうじて商用電源の２００ｖから充電が出来る最低のラインとなる。
この装置は直列の１セット（２２個）を駆動するのに発電機構として必要とし、その駆動は商用電源でもバッテリーからでもいずれにも対応できる。
両方併用にしても使用は出来る。
バッテリー１セット（２２個）により始動し発電力の余剰電力により予備のバッテリーに常に充電し切り替えスイッチにより放電と充電を繰り返し行う事が出来る。
尚、前迩した個々のバッテリーに高い電圧で並列充電を行っているのでバッテリーの減りは少ないが、若し減った場合のために予備のバッテリーを保持し常に充電を行っている。
【課題を解決するための手段】
【０００５】機械装置は２機の発電機構を有しベクトルの異なる電力を発生し自家発電から起こる同じベクトルの電力は充電には使用しない。
但し電圧で押してバッテリーを長持ちさせる事は可能であるが、機械のＯＮ、ＯＦＦ時に起こる電圧の減りは防ぎようがない。
それと共に同時充電から生ずる抵抗は強くそこに無駄なエネルギーを費やすよりも別のバッテリーを充電する事の方が有利である。
直列に接続された１セット目は、その電力を使用する時、１セット２２個のそれぞれが残りの２１セットのバッテリーと２２個ずつ並列につないであるので、各１個ずつが２０Ａ合計で４４０Ａの待機電力を維持している。
電力を使用する出力は１セット１つずつ合計２２個の出力口（電力の使用口）がある。
【発明の効果】
【０００６】その電力量はバッテリー個々の持つ１２ｖ×１００Ａの電力とは別の物です。
【図面の簡単な説明】
【０００７】
【図１】接続の拡大図
【図２】接続の拡大図
【図３】接続の拡大図
【図４】２２個×２２セットのバッテリーの設置図
【発明を実施するための形態】
【０００８】その電力量はバッテリー個々の持つ１２ｖ×１００Ａの電力とは別のものです。
バッテリーの本来の電力は直列の電圧しか使用せず電流は外部に負荷として発電した電力を降圧して１個のバッテリー２０Ａを配電している。
その電力は直流１４ｖが重ねて二本結線され２０Ａをバッテリーに結ぶ。
当然の事ながらバッテリーの電力と一体化されるが高い電位の電気から消費される。電力の取り出しは、あくまでも直列に結ばれた１セットから直流２６４ｖ×４４０Ａとして交流に変換され消費される。
交流８２，９７ｋｗとなる。その電力として消費させる事が前提でその電力が２２本存在する事から合計として１，８２５ｋｗｈとなる。
従って年間発電容量としては１６億ｋｗに達する。
【産業上の利用可能性】
【０００９】この発電装置は特筆すべきメリットが三点存在する
１．設備費が安く発電力が大きい
２．ＣＯ２を排出しない
３．インフラの無い場所でも小型発電所が設置出来る
費用対効果は年間出力１，９３６ｋｗは１ｋｗ１５円として年間出力２５，０００万円を生産する。
設備費は７５，０００万円である事から３年で償却される。
その上、排出権の利益も見込まれる。
何よりも地球温暖化を防止出来る事が上げられる。
【符号の説明】
【００１０】▲１▼  並列のプラス接続している電線
▲２▼  プラス＋の端子
▲３▼  マイナス−端子
▲４▼  バッテリー
▲５▼  並列のマイナス接続している電線
▲６▼  直列の接続している電線
【図１】
2013005709.tif 000003
【図２】
2013005709.tif 000004
【図３】
2013005709.tif 000005
【図４】
2013005709.tif 000006